(57)【特許請求の範囲】
【請求項１】
装置本体と、光学系及び電子部品を備えるレンズ部と、前記装置本体に設けられ、前記レンズ部が着脱自在に装着されると共に装着状態の前記レンズ部を回転軸を中心に回転自在に保持する装着部とを有する撮像装置であって、
前記装着部に設けられ、前記レンズ部が前記回転軸の方向に装着される際に前記レンズ部をガイドするガイド部と、
前記装着部に、前記レンズ部の装着方向奥側のものほど小径となるように段差状に設けられ、且つ前記回転軸を中心とした同心の周面でなる電気的接続のための複数の接触部と、
前記レンズ部において、前記複数の接触部に対応して前記回転軸を中心とした半径方向に突設され、前記レンズ部の装着時には各々対応する接触部に接触して電気的に接続される複数の突設接点とを有することを特徴とする撮像装置。
【請求項２】
前記レンズ部の装着行程において、前記レンズ部の装着方向奥側の突設接点から順に、対応する接触部に対して接触していくように構成されることを特徴とする請求項１記載の撮像装置。
【請求項３】
前記装着部には、前記接触部に連接して、前記レンズ部の装着方向奥側ほど縮径したテーパ面が形成されることを特徴とする請求項１または２記載の撮像装置。
【請求項４】
前記突設接点は、同じ前記接触部に対応するものが前記回転軸を中心とした周方向に複数配設され、これら複数の突設接点の前記回転軸の方向における位置が互いに異なっていることを特徴とする請求項１〜３のいずれか１項に記載の撮像装置。
【請求項５】
同じ前記接触部に対応する前記複数の突設接点は、前記回転軸を中心とした略対称位置に配設されることを特徴とする請求項４記載の撮像装置。
【請求項６】
前記接触部の各々には、前記装置本体に設けられる基板に電気的に接続するための接続片が形成され、前記各接触部の前記接続片の、前記回転軸を中心とした周方向における形成位置が互いに異なっていることを特徴とする請求項１〜５のいずれか１項に記載の撮像装置。
【発明の詳細な説明】
【技術分野】
【０００１】
本発明は、レンズ部が装置本体に対して着脱可能な撮像装置に関する。
【背景技術】
【０００２】
従来、レンズ部が装置本体に対して着脱可能な撮像装置が知られている。この種の装置のレンズ部と装置本体との電気的な接点構造については、特許文献１（図２６）に開示されている。すなわち、レンズ部側のマウント部か本体側のマウント部のどちらか一方のマウント部には、そのマウント部を中心とする同心円状に複数のパターン（６１０）が形成される。そして、他方のマウント部には、そのマウント部を中心に複数の接点（６１２）が放射状に配置される。これにより、安定した導通を確保しつつレンズ部の回転を可能としている。
【０００３】
一方、レンズ部の着脱時に接点部の摩耗による故障を防ぐ接点構造については、特許文献２（図１）に開示されている。すなわち、回転着脱式マウントの周域に互いの信号を授受するための複数の電気接点ピンをそれぞれ配置した交換レンズ式カメラにおいて、複数の電気接点ピンの接触方向の高さに段差を設ける。これにより、接点ピンの摩耗による故障を防ぐことを可能にしている。
【先行技術文献】
【特許文献】
【０００４】
【特許文献１】特開２０１０−２８８３０７号公報
【特許文献２】特開昭６２−１９５６３３号公報
【発明の概要】
【発明が解決しようとする課題】
【０００５】
しかしながら、特許文献１の装置では、マウント部を中心とする同心円状に複数のパターンが形成されているため、軸径が大きくなってしまうという問題があった。
【０００６】
一方、特許文献２の装置では、回転着脱式マウントにおいて、電気接点ピンの接触方向である周方向に高さの段差を有するため、レンズ部が本体部に対して無限回転できないという問題があった。
【０００７】
本発明は上記従来技術の問題を解決するためになされたものであり、その目的は、軸径を大きくすることなく、レンズ部を装置本体に対して電気的導通を確保しつつ無限回転を可能にすることができる撮像装置を提供することにある。
【課題を解決するための手段】
【０００８】
上記目的を達成するために本発明は、装置本体と、光学系及び電子部品を備えるレンズ部と、前記装置本体に設けられ、前記レンズ部が着脱自在に装着されると共に装着状態の前記レンズ部を回転軸を中心に回転自在に保持する装着部とを有する撮像装置であって、前記装着部に設けられ、前記レンズ部が前記回転軸の方向に装着される際に前記レンズ部をガイドするガイド部と、前記装着部に、前記レンズ部の装着方向奥側のものほど小径となるように段差状に設けられ、且つ前記回転軸を中心とした同心の周面でなる電気的接続のための複数の接触部と、前記レンズ部において、前記複数の接触部に対応して前記回転軸を中心とした半径方向に突設され、前記レンズ部の装着時には各々対応する接触部に接触して電気的に接続される複数の突設接点とを有することを特徴とする。
【発明の効果】
【０００９】
本発明によれば、軸径を大きくすることなく、レンズ部を装置本体に対して電気的導通を確保しつつ無限回転を可能にすることができる。
【図面の簡単な説明】
【００１０】
【図１】本発明の一実施の形態に係る撮像装置の模式的な外観斜視図、透視図である。
【図２】撮像装置の模式的な断面図である。
【図３】本撮像装置の内部構成を示すブロック図である。
【図４】レンズ部の分解斜視図である。
【図５】レンズ側接点部を回転軸Ａ方向、回転軸Ａに垂直な方向から見た図である。
【図６】レンズ部の組み立て図である。
【図７】装着部の分解斜視図である。
【図８】装着部の組み立て図である。
【図９】レンズ部の装着途中の状態を示す撮像装置の模式的な断面図、拡大図である。
【図１０】装着部にレンズ部が装着された状態を示すレンズ部及び装着部の側面図、断面図である。
【図１１】レンズ部の装着途中における装着部側接点部及び接点ピンの拡大図である。
【図１２】変形例のレンズ部の装着途中における接点部及び接点ピンの拡大図である。
【発明を実施するための形態】
【００１１】
以下、本発明の実施の形態を図面を参照して説明する。
【００１２】
図１（ａ）、（ｂ）は、本発明の一実施の形態に係る撮像装置の模式的な外観斜視図、透視図である。
【００１３】
この撮像装置は、レンズ部１０１、装置本体である本体部３０１及び装着部２０１を有するレンズ交換式カメラである。カメラの種類は問わない。本体部３０１に設けられた装着部２０１に、レンズ部１０１が着脱自在に装着される。レンズ部１０１は、被写体を撮像するためのレンズ１０２やミラー１０３等の光学系を含む。レンズ部１０１には、電子部品の一例として録音用のマイク１０４が備えられる。本体部３０１は、撮像した画像を電気信号に変換するセンサ部等を含む（図３で後述）。
【００１４】
図２は、撮像装置の模式的な断面図である。
【００１５】
レンズ部１０１は本体部３０１に対して、装着部２０１を介して着脱可能で且つ、装着部２０１は中心軸である回転軸Ａを中心に回転可能である。レンズ部１０１と装着部２０１は回転軸Ａ方向に段差形状を持つ。装着部２０１は、電気的接続のための複数の接触部である装着部側接点部２０３（２０３ａ、２０３ｂ、２０３ｃ）を有する。レンズ部１０１は、装着部側接点部２０３ａ、２０３ｂ、２０３ｃに対応するレンズ側接点部１０５（１０５ａ、１０５ｂ、１０５ｃ）を有する。レンズ側接点部１０５ａ、１０５ｂ、１０５ｃにはそれぞれ、後述するように突設接点である接点ピン１１０（１１０ａ、１１０ｂ、１１０ｃ）が設けられる。
【００１６】
レンズ部１０１で集光された像は、装着部２０１を通り、センサ部２０２で電気信号に変換される。３つのレンズ側接点部１０５ａ〜１０５ｃ、３つの装着部側接点部２０３ａ〜２０３ｃは、それぞれ回転軸Ａ方向の異なる位置にレイアウトされる。これにより、上記の特許文献１のように回転軸Ａ方向の同一平面上にレイアウトする構成に比べて、レンズ部１０１と装着部２０１の回転軸Ａからみた軸径を小さくすることができる。
【００１７】
本体部３０１に固定された装着部２０１は、レンズ部１０１の装着前は図２における上方に段差状に開口し、レンズ部１０１は、回転軸Ａに沿って図２の下方を装着方向として装着部２０１に装着される。
【００１８】
図３は、本撮像装置の内部構成を示すブロック図である。
【００１９】
レンズ部１０１は、上記したレンズ１０２及びミラー１０３から成る屈折光学系、マイク１０４、レンズ側接点部１０５のほか、マイクアンプ４０８を備える。
【００２０】
本体部３０１は、装着部側接点部２０３、ＣＣＤやＣＭＯＳ素子等で構成されるセンサ部２０２のほか、被写体画像をデジタル信号に変換するカメラ信号処理部４０１、マイク１０４からの信号をデジタル信号に変換する音声信号処理部４０９を備える。また、ＲＯＭ４０２は、情報を電気的に消去・記録可能なメモリであり、例えばＥＥＰＲＯＭ等が用いられる。ＲＯＭ４０２には、ＣＰＵ４０５の動作用の定数、プログラム等が記憶される。ＣＰＵ４０５は、本撮像装置全体を制御する。
【００２１】
ＲＡＭ４０３はシステムメモリ、ワークメモリ、画像メモリである。ＲＡＭ４０３には、ＣＰＵ４０５の動作用の定数、変数、ＲＯＭ４０２から読み出したプログラム等が展開される。表示部４０４は、ＣＰＵ４０５がＲＡＭ４０３に送信させる特定の処理を行った画像データにより、画像を表示する。表示部４０４には液晶パネル、有機ＥＬ等が使用される。記録部４０６はＣＰＵ４０５がＲＡＭ４０３に送信させる特定の処理を行った画像データを記録する。記録部４０６は画像データを記録するためのメモリカード等の記録媒体であり、半導体メモリや磁気ディスク、磁気テープ等から構成される。
【００２２】
操作部４０７は、撮像装置に設けられる不図示の電源釦、表示部４０４と重ねて設けられる不図示のタッチパネル等により構成される。電源釦は撮像装置の電源ＯＮ、ＯＦＦを行う。タッチパネルには、不図示のシャッタ釦が配置され、これらの操作部を操作することにより、撮影画像に特定の処理が行われた画像データが記録部４０６に保存される。
【００２３】
タッチパネルは、重ねて設けられた表示部４０４に表示される種々のアイコンが選択操作されることで、各種機能釦として作用する。これらの機能釦としては、例えば撮影モード切り替え釦、ズーム釦、メニュー釦等がある。例えば、ズーム釦が押されるとズーム機能が開始され撮影シーンに適した画角にできる。利用者は、表示部４０４に表示された釦を重ねて配置されたタッチパネルにより操作することで、各種設定を直感的に行うことができる。
【００２４】
その他、撮像装置に使われる構成として、撮像装置本体を駆動するための電源部、バッテリー部、音声入出力部等があるが、撮像装置として周知の事実を用いるため、ここでは図示及び詳細な説明を省く。
【００２５】
次に、図４〜図６を用いてレンズ部１０１について説明する。
【００２６】
図４は、レンズ部１０１の分解斜視図である。図４では、説明の容易化のために、装着部２０１付近の部品のみを表示している。
【００２７】
レンズ部１０１は、レンズ部筺体１０８、レンズ側接点部１０５ａ〜１０５ｃ、接点カバー１０６を有する。レンズ部筺体１０８は筒状部１０８ａを有する。筒状部１０８ａに、フレキシブル配線板（以下ＦＰＣ）１０７が延びており、ＦＰＣ１０７は、回転軸Ａ方向に長さの異なるパターン露出部１０７ａ〜１０７ｃを有する。ＦＰＣ１０７を介して、マイク１０４（図１（ｂ）、図３）とレンズ側接点部１０５ａ〜１０５ｃが導通する。
【００２８】
筒状部１０８ａの根元付近には回転軸Ａ方向における段差形状が形成されると共に、筒状部１０８ａの途中に凹部１１２が周方向に形成される。レンズ部筺体１０８にはまた、本体部３０１に当接するための複数の当接部１１３が設けられる。また、接点カバー１０６は、回転軸Ａ方向に段差形状を有する。
【００２９】
図５（ａ）、（ｂ）はそれぞれ、レンズ側接点部１０５ｂを回転軸Ａ方向、回転軸Ａに垂直な方向から見た図である。
【００３０】
レンズ側接点部１０５ｂは、導電材料でなり、円孤バネ部１０９ｂと、円孤バネ部１０９ｂの両端部に設けられた２本の接点ピン１１０ｂとを有する。各接点ピン１１０ｂは回転軸Ａからみて、円弧バネ部１０９ｂの法線方向に突出するように設けられる。すなわち、各接点ピン１１０ｂは、回転軸Ａを中心とした半径方向外側に向かって突設されている。さらに、２本の接点ピン１１０ｂは、回転軸Ａを中心とした略対称位置に位置する。
【００３１】
また、図５（ｂ）に示すように、２本の接点ピン１１０ｂは、回転軸Ａ方向に距離αだけ異なる位置に配置されている。そのため、レンズ部１０１が本体部３０１に対して回転したとき、２本の接点ピン１１０ｂの走行経路は回転軸Ａに平行な光軸方向においてずれることになる。これにより、摩耗による劣化を抑えることが可能となる。
【００３２】
レンズ側接点部１０５ａ〜１０５ｃの各円弧バネ部１０９ａ〜１０９ｃは曲率半径が異なる。曲率半径は、円弧バネ部１０９ａが最も小さく、円弧バネ部１０９ｃが最も大きい。レンズ側接点部１０５ａ、１０５ｃのその他の構成は、レンズ側接点部１０５ｂと基本的に同様である。
【００３３】
図６は、レンズ部１０１の組み立て図である。
【００３４】
レンズ側接点部１０５ａ〜１０５ｃの曲率半径の相違は、接点カバー１０６の各段差に対応しており、レンズ側接点部１０５ａ〜１０５ｃは、接点カバー１０６の各段差に内周側から装着される。すなわち、円弧バネ部１０９、及び接点カバー１０６の段差面は、レンズ部１０１の装着方向（以下、「レンズ部装着方向」と呼称する）奥側（図４の下方）のものほど小径となっている。各レンズ側接点部１０５が接点カバー１０６に装着されると、図６に示すように、接点カバー１０６に形成された穴１０６ａ〜１０６ｃから接点ピン１１０ａ〜１１０ｃが突出する。
【００３５】
レンズ部筺体１０８と接点カバー１０６とはビス１１１でとめられる（図６）。その際、ＦＰＣ１０７のパターン露出部１０７ａ〜１０７ｃと各レンズ側接点部１０５の圧接部１１４ａ〜１１４ｃ（１１４ｂのみ図５に図示）とが当接状態となる。これにより、パターン露出部１０７ａ〜１０７ｃとレンズ側接点部１０５ａ〜１０５ｃとの導通がそれぞれ確保される。
【００３６】
次に、図７、図８を用いて装着部２０１について説明する。
【００３７】
図７は装着部２０１の分解斜視図である。図８は装着部２０１の組み立て図である。
【００３８】
図７に示すように、装着部２０１は、上記した装着部側接点部２０３（２０３ａ〜２０３ｃ）が取り付けられる装着部筺体２０４を有する。また、レンズ部１０１と装着部２０１を留めるためのロックばね２０５を有する。各装着部側接点部２０３は導電材料でなり、それぞれ径の異なる独立した同心円の環状形状を呈する。具体的には、直径は、装着部側接点部２０３ｃが最も大きく、装着部側接点部２０３ａが最も小さい。
【００３９】
装着部側接点部２０３の各々には、本体部３０１に設けられるメイン基板２１６（図８）に電気的に接続するための接続片２０６（２０６ａ〜２０６ｃ）が形成される。これらは、レンズ部装着方向奥側に凸形状に形成される。装着部筺体２０４に装着されたときの接続片２０６ａ〜２０６ｃの、回転軸Ａを中心とした周方向における形成位置は互いに異なり、すなわち回転軸Ａ中心に異なる位相に位置するようになっている。
【００４０】
装着部側接点部２０３の各々にはまた、接続片２０６とは別に、係止片２０７（２０７ａ〜２０７ｃ）が、レンズ部装着方向奥側に凸形状に形成される。各係止片２０７は係合穴を有する。
【００４１】
装着部筺体２０４には、接続片２０６ａ〜２０６ｃが挿入されるための挿入穴２１５ａ〜２１５ｃ、係止片２０７ａ〜２０７ｃが挿入されるための挿入穴２０８ａ〜２０８ｃが形成される。さらに、挿入穴２０８ａ〜２０８ｃの近傍に爪部２０９ａ〜２０９ｃが形成される。
【００４２】
図８に示すように、接続片２０６は、挿入穴２１５ａ〜２１５ｃに回転軸Ａ方向に沿って挿入される。それと共に、係止片２０７ａ〜２０７ｃは装着部筺体２０４の挿入穴２０８ａ〜２０８ｃに回転軸Ａ方向に沿って挿入される。爪部２０９が、対応する係止片２０７の係合穴に嵌入される。これにより各装着部側接点部２０３が装着部筺体２０４に装着固定される。
【００４３】
装着部２０１が本体部３０１（図１）に固定されると、接続片２０６ａ〜２０６ｃには本体部３０１から延びる接点ワイヤー２１０ａ〜２１０ｃ（図８）が接触し、電気的に接続される。これにより本体部３０１内のメイン基板２１６と各装着部側接点部２０３との導通が確保される。接続片２０６ａ〜２０６ｃは、周方向における形成位置が互いに異なっており、回転軸Ａ中心に異なる位相に配置されていることから、対応する接点ワイヤー２１０のみと適切に接触する。これにより、接点部のショートの発生を抑制することができる。
【００４４】
ロックばね２０５は装着部筺体２０４の凹部２１２に外側から挿入される。センサ部２０２は装着部筺体２０４にビス２１１（図７）により止められる。装着部筺体２０４とセンサ部２０２が一体構造となることで、安定した光路を確保できる。
【００４５】
図９（ａ）は、レンズ部１０１の装着途中の状態を示す撮像装置の模式的な断面図であり、レンズ側接点部１０５と装着部側接点部２０３との関係を表している。図９（ｂ）は、レンズ部１０１の装着途中における装着部側接点部２０３及び接点ピン１１０の拡大図である。
【００４６】
図１０（ａ）、（ｂ）はそれぞれ、装着部２０１にレンズ部１０１が装着された状態を示すレンズ部１０１及び装着部２０１の側面図、断面図である。
【００４７】
装着部２０１の内周面の一部はガイド部２１４となっている（図９（ｂ）、図１０（ｂ））。装着部２０１は、事前に本体部３０１に固定される。そして、レンズ部１０１を装着部２０１に取り付ける際にはまず、レンズ部筺体１０８の筒状部１０８ａの外周をガイド部２１４に挿入嵌合し、装着方向に摺動させていく。ガイド部２１４は、レンズ部１０１に対して回転軸Ａ方向への装着ガイドの役割を果たす。
【００４８】
ここで、上述したように、３つの装着部側接点部２０３の、回転軸Ａを中心とした同心の各内周面は、レンズ部装着方向奥側のものほど小径となるように段差状に設けられる。装着方向手前側ほど径が大きいので、レンズ部１０１の装着行程において、接点ピン１１０は、それぞれ対応する装着部側接点部２０３に接触して電気的に接続される際、対応するもの以外とは衝突することがない（図１１（ｂ）でも詳述）。また、レンズ部１０１の取り外し行程においても、接点ピン１１０は、対応する装着部側接点部２０３以外とは衝突することがない。
【００４９】
このような作用は、各円孤バネ部１０９ｂの両端部に設けられた２本の接点ピン１１０において並行して生じる。このように、レンズ部１０１の着脱時に接点同士が不必要に衝突することなく導通が確保されるので、接点部の故障が抑制される。
【００５０】
また、図９（ｂ）に示すように、装着部筺体２０４において、各装着部側接点部２０３の、レンズ部装着方向手前側の部分には、面取り部２１３（２１３ａ、２１３ｂ、２１３ｃ）が形成される。面取り部２１３は、装着部側接点部２０３の内周面に連接して、レンズ部装着方向奥側ほど縮径したテーパ面である。レンズ部１０１の装着行程において、接点ピン１１０が対応する装着部側接点部２０３に当接する際に先に面取り部２１３に接触するので、衝撃が緩和され、接点部の摩耗進行を抑制する効果がある。
【００５１】
図１０に示すように、レンズ部１０１の当接部１１３が装着部２０１に当接したとき、各接点ピン１１０が対応する装着部側接点部２０３に適切に当接する位置に達し、装着状態となる。装着状態になったとき、レンズ部１０１の凹部１１２にロックばね２０５が係合する。ロックばね２０５により、回転軸Ａ方向においてレンズ部１０１が抜けない方向に付勢される。装着部２０１は、装着状態のレンズ部１０１を回転軸Ａを中心に回転自在に保持する。
【００５２】
装着部側接点部２０３の内周面は全周に亘って形成され、どの位置でも接点ピン１１０との導通が確保される。従って、レンズ部１０１は装着後において、光路長を確保したまま本体部３０１（乃至装着部２０１）に対して無限回転が可能となる。
【００５３】
ところで、レンズ側接点部１０５の接点ピン１１０と装着部側接点部２０３との導通順序を説明する。装着部側接点部２０３の内周面と、接点ピン１１０の回転軸Ａ方向における各配列間隔（ピッチ）、及び半径方向の突設高さは図１１（ａ）、（ｂ）に示すように設定されている。
【００５４】
図１１（ａ）、（ｂ）は、レンズ部１０１の装着途中における装着部側接点部２０３及び接点ピン１１０の拡大図である。図１１（ａ）に示すように、回転軸Ａ方向における接点ピン１１０ａ、１１０ｂの間隔（中心同士の間隔）をｙ、接点ピン１１０ｂ、１１０ｃの間隔をｘとする。ここで、間隔ｘ、ｙは、各装着部側接点部２０３に２本ある接点ピン１１０のうち同じ側に突出し隣接しているもの同士の間隔である。
【００５５】
一方、回転軸Ａ方向において、装着部側接点部２０３ａ、２０３ｂの、レンズ部装着方向手前側の端同士の間隔をＹ、装着部側接点部２０３ｂ、２０３ｃの、レンズ部装着方向手前側の端同士の間隔をＸとする。
【００５６】
これらの間隔は、Ｙ＜ｙ、且つＸ＜ｘと設定されている。間隔Ｘ、Ｙは同じ値でもよく、その場合は、ｘ＜ｙとする。このような設定により、レンズ部１０１の装着行程において、接点ピン１１０ａ及び装着部側接点部２０３ａが最初に導通し、次に接点ピン１１０ｂ及び装着部側接点部２０３ｂ、その次に接点ピン１１０ｃ及び装着部側接点部２０３ｃが順に導通する。同じ装着部側接点部２０３にある２本の接点ピン１１０間の距離αは、上記のＹ＜ｙ且つＸ＜ｘを満たす範囲で設定することとする。
【００５７】
なお、レンズ部装着方向奥側の接点ピン１１０から順番に、対応する装着部側接点部２０３に当接していくようにするためには、回転軸Ａ方向における接点ピン１１０と装着部側接点部２０３の相対的な位置関係で規定できる。従って、図１１（ａ）に示すものは一例であり、各種の設定が可能である。
【００５８】
ところで、レンズ側接点部１０５及び装着部側接点部２０３の接点の種類は問わない。ただし本実施の形態では、レンズ側接点部１０５ａ及び装着部側接点部２０３ａがグラウンド接点、レンズ側接点部１０５ｂ及び装着部側接点部２０３ｂが電源接点、レンズ側接点部１０５ｃ及び装着部側接点部２０３ｃが信号接点となっている。これにより、レンズ部１０１の装着行程においてグラウンド接点、電源接点、信号接点の順番に導通する。接点間隔を異なる間隔とすることにより、接点の導通順番を決めることができるようになり、撮像装置の接点に起因する電気的故障が生じにくい。
【００５９】
図１１（ｂ）に示すように、回転軸Ａからレンズ側接点部１０５ａ、１０５ｂ、１０５ｃの各先端までの距離をそれぞれｒ１、ｒ２、ｒ３とする。また、回転軸Ａから装着部側接点部２０３ａ、２０３ｂ、２０３ｃの内周面までの距離（すなわち内径）をそれぞれＲ１、Ｒ２、Ｒ３とする。大小関係は、ｒ３＞Ｒ３＞ｒ２＞Ｒ２＞ｒ１＞Ｒ１が成り立つようにしている。
【００６０】
このような設定により、レンズ部１０１の着脱時に、各接点ピン１１０は、それぞれ対応する装着部側接点部２０３以外とは衝突することがない。特に、レンズ部１０１はガイド部２１４と嵌合されることで、筒状部１０８ａの軸芯が回転軸Ａに垂直な方向において適切に位置決めされる。これにより、同じ装着部側接点部２０３にある２本の接点ピン１１０の各先端はいずれも、回転軸Ａからの距離がそれぞれ距離ｒ１、ｒ２、ｒ３に規定される。従って、２本の接点ピン１１０は、対応する装着部側接点部２０３に対してのみ当接する。
【００６１】
本実施の形態によれば、装着部側接点部２０３の回転軸Ａを中心とした内周面は、レンズ部装着方向奥側のものほど小径で、半径方向外側に向かって突設された接点ピン１１０が、対応する装着部側接点部２０３に接触して電気的に接続される。装着部側接点部２０３ａ〜２０３ｃの配置位置が回転軸Ａの半径方向でなく回転軸Ａ方向に異なっているので、レンズ部１０１及び装着部２０１の軸径縮小に有利である。また、接点ピン１１０の突出高さの違いは、回転軸Ａを中心とした周方向ではなく回転軸Ａ方向において設けたので、対応する装着部側接点部２０３との導通を確保した状態でレンズ部１０１が装着部２０１に対して無限回転が可能である。よって、軸径を大きくすることなく、レンズ部を装置本体に対して電気的導通を確保しつつ無限回転を可能にすることができる。
【００６２】
また、同じ装着部側接点部２０３に対応する２本の接点ピン１１０の回転軸Ａ方向における位置が互いに異なっているので、レンズ部１０１の回転動作による接点の摩耗を抑制することができる。特に、２本の接点ピン１１０は、回転軸Ａを中心とした略対称位置に配設されるので、接触圧力が偏らず、動作が安定し、摩耗も偏らない。なおこの効果を得る観点からは、同じ装着部側接点部２０３に対応する接点ピン１１０は、回転軸Ａを中心とした周方向に均等間隔に複数配設してもよい。あるいは均等間隔でなくても、回転軸Ａを中心とした略対称位置に配設される対が一対以上となるように構成してもよい。接点ピン１１０を３本以上配設する場合においても、それらの回転軸Ａ方向の位置は互いにずらすのがよい。
【００６３】
また、接点ピン１１０は、奥側のものから順に、対応する装着部側接点部２０３に対して接触していくよう導通の順番が決められ、しかも、対応しない接点同士の無用な接触が回避される。従って、電気接点に起因する電気的故障を抑制することができる。
【００６４】
また、装着部側接点部２０３の、レンズ部装着方向手前側の部分にテーパ面である面取り部２１３を形成したので、レンズ部１０１の着脱時の接点同士の衝突の衝撃を緩和し、接点の摩耗による故障を抑制することができる。
【００６５】
また、接続片２０６ａ〜２０６ｃは回転軸Ａ中心に異なる位相に位置するので、接点のショートの発生を抑制することができる。
【００６６】
なお、装着部側接点部２０３とレンズ側接点部１０５との組数が３組以上である構成を例示したが、２組以上であればよい。４組とした場合は、レンズ部装着方向の最も手前側の組は、例えば検出信号用の接点としてもよい。
【００６７】
本実施の形態では、接点ピン１１０を軸側（レンズ部筺体１０８の筒状部１０８ａ）に設け、装着部側接点部２０３を受け側（本体部３０１の側）に設けた。しかし、これとは配置関係を逆としてもよい。
【００６８】
すなわち、装着部２０１及びレンズ部１０１のいずれか一方に、装着部側接点部２０３に相当する複数の接触部を、レンズ部装着方向奥側のものほど小径となるように段差状に設ける。さらに、装着部２０１及びレンズ部１０１のいずれか他方において、上記複数の接触部に対応して回転軸Ａを中心とした半径方向に複数の突設接点である接点ピン１１０に相当する接点ピンを突設する。このような変形例を図１２で説明する。
【００６９】
図１２は、変形例のレンズ部１０１の装着途中における接点部及び接点ピンの拡大図である。
【００７０】
図１２に示すように、接点ピン１１０に相当する接点ピン１１１０（１１１０ａ〜１１１０ｃ）を本体部３０１（の装着部２０１）に設ける。さらに、装着部側接点部２０３に相当する接点部１２０３（１２０３ａ〜１２０３ｃ）をレンズ部１０１（のレンズ部筺体１０８の筒状部１０８ａ）の外周に設ける。この場合、接点部１２０３の外周面は、レンズ部装着方向奥側のものほど小径となるように段差状に設けられ且つ回転軸Ａを中心として同心である。また、レンズ部１０１には、面取り部２１３（図９（ｂ））と同様のテーパ面である面取り部１２１３ａ〜１２１３ｃが設けられる。
【００７１】
一方、接点ピン１１１０は、各接点部１２０３に対応して１対設けられ、レンズ部１０１の装着時には各々対応する接点部１２０３に接触して電気的に接続される。隣接する突設接点同士の配列間隔（接点ピン１１１０の回転軸Ａ方向における配列間隔）、及び接点ピン１１１０の半径方向内側への突設高さは、図１１で説明した接点ピン１１０と同様である。
【００７２】
このような変形例であっても、図１１に示す構成のものと同様の効果を奏することができる。
【００７３】
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。
【符号の説明】
【００７４】
１０１  レンズ部
１０５  レンズ側接点部
１１０、１１１０  接点ピン
２０１  装着部
２０３、１２０３  装着部側接点部
２０６  接続片
２１３、１２１３  面取り部
２１４  ガイド部
３０１  本体部
Ａ  回転軸
【図１】
0005882649.tif 000002
【図２】
0005882649.tif 000003
【図３】
0005882649.tif 000004
【図４】
0005882649.tif 000005
【図５】
0005882649.tif 000006
【図６】
0005882649.tif 000007
【図７】
0005882649.tif 000008
【図８】
0005882649.tif 000009
【図９】
0005882649.tif 000010
【図１０】
0005882649.tif 000011
【図１１】
0005882649.tif 000012
【図１２】
0005882649.tif 000013